(57)【要約】【課題】            天井裏空間でのダクト接続を容易に行うことができる、作業性の良い空調用ダクト継手を得る。【解決手段】        天井裏に略水平に配管される二系統のダクトと室内に略垂直に配管される二系統のダクトを天井裏においてそれぞれ連絡させる空調用ダクト継手について、風路４を構成する六面体の外郭５を横並びに併設し、その一つの外郭５の一側と、他の一つの外郭５の一側にダクト接続の可能な風路４に連なるダクト接続口６を設け、一つの外郭５の一側と直角をなす一面と、他の一つの外郭５の一側と直角をなす一面に風路４に連なるダクト接続の可能なダクト接続口７を設ける。【選択図】          図１
2008151349.tif 000002
【特許請求の範囲】
【請求項１】
天井裏に略水平に配管されるダクトと室内に略垂直に配管されるダクトを天井裏において連絡させる空調用ダクト継手であって、風路を構成する六面体の外郭の一側にダクト接続の可能な前記風路に連なるダクト接続口を設け、前記外郭の前記一側と直角をなす一面に前記風路に連なるダクト接続の可能なダクト接続口を設けた空調用ダクト継手。
【請求項２】
天井裏に略水平に配管される二系統のダクトと室内に略垂直に配管される二系統のダクトを天井裏においてそれぞれ連絡させる空調用ダクト継手であって、風路を構成する六面体の外郭を横並びに併設し、その一つの外郭の一側と、他の一つの外郭の一側にダクト接続の可能な前記風路に連なるダクト接続口を設け、一つの前記外郭の前記一側と直角をなす一面と、他の一つの前記外郭の前記一側と直角をなす一面に前記風路に連なるダクト接続の可能なダクト接続口を設けた空調用ダクト継手。
【請求項３】
請求項１又は請求項２のいずれかに記載の空調用ダクト継手であって、外郭の風路が９０度の角度をもって円弧に曲がっている空調用ダクト継手。
【請求項４】
請求項１〜請求項３までのいずれかに記載の空調用ダクト継手であって、室内に略垂直に配管されるダクトを接続するダクト接続口の基部周りに、天井構造部材の野縁等と係合する係合部を設けた空調用ダクト継手。
【請求項５】
請求項１〜請求項４までのいずれかに記載の空調用ダクト継手であって、外郭を発泡スチロール等、断熱性を持つフォーム材の一体成形物二つを合わせた構成とし、前記二つの一体成形物の合わせ面には、凹凸嵌合のための嵌合構造が形成された空調用ダクト継手。
【請求項６】
請求項２〜請求項４までのいずれかに記載の空調用ダクト継手であって、一つの外郭と他の一つの外郭が垂直方向のセルフヒンジ構造で繋がっている空調用ダクト継手。
【請求項７】
請求項２〜請求項４までのいずれかに記載の空調用ダクト継手であって、一つの外郭と他の一つの外郭が垂直方向の切り離し可能の橋絡部で繋がっている空調用ダクト継手。
【請求項８】
請求項６又は請求項７のいずれかに記載の空調用ダクト継手であって、天井構造部材の野縁等と係合する係合部を天井面に沿う平面形状が正方形に構成した空調用ダクト継手。
【発明の詳細な説明】
【技術分野】
【０００１】
本発明は、換気空気や加工空気を送るダクトを天井裏において９０度の角度をもって連絡させる空調用ダクト継手に関するものである。
【背景技術】
【０００２】
直線状に配管される空調用のダクト同士を接続するには、例えば、特許文献１，２に示されているようなエルボーとも称される管継手や分岐チャンバーが用いられている。
【０００３】
【特許文献１】特開２００５−２２６９０５号公報
【特許文献２】特開２００５−１４７５０３号公報
【発明の開示】
【発明が解決しようとする課題】
【０００４】
特許文献１，２に示された管継手や分岐チャンバーを利用して直線状に配管される空調用のダクト同士を天井裏空間において接続する場合、ダクト配管が大変し辛く作業性も悪い。すなわち、管継手や分岐チャンバーは、基本的に断面円形の屈曲風路構造であるため天井構造等に固定ができず、不安定なままで配管作業をしなくてはならない。室内に設置される機器を介して一連の風路が天井裏空間に配管されるダクトによって構成されるような場合には、機器への出口側と入口側の二系統のダクト配管が必要で、一系統ずつ上述した配管作業をしなくてはならず、二系統のダクト配管の寸法が決まりにくいといった問題点がある。
【０００５】
本発明は、上記した問題点を解決するためになされたものであり、その課題とするところは、天井裏空間でのダクト接続を容易に行うことができる、作業性の良い空調用ダクト継手を得ることであり、二系統のダクト配管でも寸法を決めやすい空調用ダクト継手を得ることであり、その空調用ダクト継手の機能を拡充することである。
【課題を解決するための手段】
【０００６】
上記課題を解決するために本発明は、天井裏に略水平に配管される二系統のダクトと室内に略垂直に配管される二系統のダクトを天井裏においてそれぞれ連絡させる空調用ダクト継手について、風路を構成する六面体の外郭を横並びに併設し、その一つの外郭の一側と、他の一つの外郭の一側にダクト接続の可能な風路に連なるダクト接続口を設け、一つの外郭の一側と直角をなす一面と、他の一つの外郭の一側と直角をなす一面に風路に連なるダクト接続の可能なダクト接続口を設ける手段を採用する。
【発明の効果】
【０００７】
本発明によれば、外郭が六面体で転がったりしないので、天井構造部材の野縁等に安定した状態にしてダクトを接続させることができ、二系統のダクトも、二つの外郭によって寸法が決まっているので、ダクト配管の寸法も安定する。
【発明を実施するための最良の形態】
【０００８】
本発明の空調用ダクト継手は、天井裏に略水平に配管される二系統のダクトと室内に略垂直に配管される二系統のダクトを天井裏においてそれぞれ連絡させるものである。継手本体は、風路を構成する六面体の外郭を横並びに併設し、それぞれに二つのダクト接続口を設けた構成で、発泡スチロール等の成形物である。一つの外郭の一側と、他の一つの外郭の一側にダクト接続の可能な風路に連なるダクト接続口が設けられ、一つの外郭の一側と直角をなす一面中心部と、他の一つの外郭の一側と直角をなす一面中心部に風路に連なるダクト接続の可能なダクト接続口が設けられている。外郭の風路は、９０度の角度をもって円弧に曲がっている。室内に略垂直に配管されるダクトを接続するダクト接続口の基部周りに、天井構造部材の野縁等と係合する係合部が設けられている。一つの外郭と他の一つの外郭が垂直方向に設けられた切り離し可能の橋絡部で繋がっている。天井構造部材の野縁等と係合する係合部は天井面に沿う平面形状が正方形に構成されている。
【０００９】
この空調用ダクト継手は、天井構造部材の野縁等に平面形状が正方形の係合部を嵌めれば、転がったり、ダクト接続口の方向が変わったりせず、安定した状態におくことができる。天井裏に略水平に配管される二系統のダクトを二つの外郭の一側に対向状に設けられたダクト接続口に嵌合接続し、室内に略垂直に配管される二系統のダクトを二つの外郭の係合部から延出したダクト接続口に嵌合接続すれば、ダクト配管が完了する。室内に略垂直に配管された二つのダクト端を、例えばフィルタ装置に接続すれば、ダクトによる一連の風路が構成できる。天井裏に略水平に配管される二系統のダクトが、直線状でなく食違いを持つ直線や、９０度の角度をなす場合や平行な場合、橋絡部を切り離して対応する。係合部は平面形状が正方形であるため、他方の外郭を、例えば９０度回動させても係合部は機能し、天井構造部材に安定よく係合する。係合部から延出したダクト接続口のピッチは変わらず、ダクト配管の寸法は決まり、機器を接続することができる。
【００１０】
実施の形態１．
図１は、本実施の形態の空調用ダクト継手を示す斜視図、図２は、外郭の構成部材を示す斜視図、図３は、空調用ダクト継手を示す斜視図、図４は、ダクト接続状態を示す斜視図、図５、図６は、ダクト接続完了状態を示す斜視図、図７、図８、図９は、それぞれ外郭を分離した形態を示す継手本体の斜視図、図１０，図１１は、外郭をセルフヒンジ構造で回動させた形態を示す継手本体の平面図である。
【００１１】
本実施の形態の空調用ダクト継手は、天井裏に略水平に配管される二系統のダクト１と室内に略垂直に配管される二系統のダクト２を天井裏においてそれぞれ連絡させるものである。継手本体３は、風路４を構成する六面体の外郭５を横並びに併設し、それぞれに二つのダクト接続口６，７を設けた構成で、図２のように発泡スチロール等、断熱性を持つフォーム材の一体成形物８二つを合わせた構成である。二つの一体成形物８の合わせ面９には、凹凸嵌合のための突条と条溝による嵌合構造１０が形成され、合わせ面９の気密が保持される。一つの外郭５の一側中心部と、これに対向する他の一つの外郭５の一側中心部にダクト接続の可能な風路４に連なるダクト接続口６が設けられ、一つの外郭５の一側と直角をなす一面中心部と、他の一つの外郭５の一側と直角をなす一面中心部に風路４に連なるダクト接続の可能なダクト接続口７が設けられている（図１参照）。
【００１２】
外郭５の風路４は、図２に示すように９０度の角度をもって圧力損失の少ない円弧に曲げて構成されているが、外郭５を中空構造にしてチャンバーとしても良い。室内に略垂直に配管されるダクト２を接続するダクト接続口７の基部周りには、天井構造部材１１の野縁等と係合する係合部１２が設けられている。一つの外郭５と他の一つの外郭５が、垂直方向に形成された図１に示す切り離し可能の橋絡部１３又は、図３に示すセルフヒンジ構造１４で繋がっている。天井構造部材１１の野縁等と係合する係合部１２は天井面に沿う平面形状が正方形に構成され、それに続くダクト接続口７には、粘着テープを貼付ける貼付部１５が設けられている。
【００１３】
この空調用ダクト継手は、天井構造部材１１の野縁等に平面形状が正方形の係合部１２を嵌めれば、転がったり、ダクト接続口７の方向が変わったりせず、安定した状態におくことができる（図４参照）。天井裏に略水平に直線状に配管される二系統のダクト１を二つの外郭５の一側に対向状に設けられたダクト接続口６に嵌合接続し、粘着テープを貼付部１５に貼付け、室内に略垂直に配管される二系統のダクト２を二つの外郭５の係合部１２から延出したダクト接続口７に嵌合接続し、粘着テープを貼付部１５に貼付ければ、ダクト配管が完了する。室内に略垂直に配管された二つのダクト２端を、例えば図５に示すフィルタ装置１６や図６に示す送風装置１７に接続すれば、ダクト１，２による一連の風路が構成できる。
【００１４】
天井裏に略水平に配管される二系統のダクト１が、直線状でなく食違いを持つ直線や、９０度の角度をなす場合や平行な場合、橋絡部１３を切り離して図７，８，９に示すように対応する。外郭５がセルフヒンジ構造１４で繋がったものでは、図１０のようにダクト１が９０度の角度をなす場合や、図１１に示す平行の場合に対応できる。係合部１２は平面形状が正方形であるため、他方の外郭５を９０度回動させても係合部１２は機能し、天井構造部材１１に安定よく係合する。係合部１２から延出したダクト接続口７のピッチは変わらず、ダクト配管の寸法は決まり、機器を接続することができる。外郭５を切り離したものは、それぞれ単体の継手として機能し、ダクト配管の自由度も保持できる。
【図面の簡単な説明】
【００１５】
【図１】空調用ダクト継手を示す斜視図である。（実施の形態１）
【図２】外郭の構成部材を示す斜視図である。（実施の形態１）
【図３】空調用ダクト継手を示す斜視図である。（実施の形態１）
【図４】ダクト接続状態を示す斜視図である。（実施の形態１）
【図５】ダクト接続完了状態を示す斜視図である。（実施の形態１）
【図６】ダクト接続完了状態を示す斜視図である。（実施の形態１）
【図７】外郭を分離した形態を示す継手本体の斜視図である。（実施の形態１）
【図８】外郭を分離した形態を示す継手本体の斜視図である。（実施の形態１）
【図９】外郭を分離した形態を示す継手本体の斜視図である。（実施の形態１）
【図１０】外郭をセルフヒンジ構造で回動させた形態を示す継手本体の平面図である。（実施の形態１）
【図１１】外郭をセルフヒンジ構造で回動させた形態を示す継手本体の平面図である。（実施の形態１）
【符号の説明】
【００１６】
１  ダクト、  ２  ダクト、  ３  継手本体、  ４  風路、  ５  外郭、  ６  ダクト接続口、  ７  ダクト接続口、  ９  合わせ面、  １０  嵌合構造、  １１  天井構造部材、  １２  係合部、  １３  橋絡部、  １４  セルフヒンジ構造。
【図１】
2008151349.tif 000003
【図２】
2008151349.tif 000004
【図３】
2008151349.tif 000005
【図４】
2008151349.tif 000006
【図５】
2008151349.tif 000007
【図６】
2008151349.tif 000008
【図７】
2008151349.tif 000009
【図８】
2008151349.tif 000010
【図９】
2008151349.tif 000011
【図１０】
2008151349.tif 000012
【図１１】
2008151349.tif 000013